(57)【特許請求の範囲】
【請求項１】
光軸を通過して該光軸と直交する第１の軸線に沿って互いに逆方向に移動することで開口径を変化させる２つの光量調節部材と、
前記各光量調節部材に形成された案内用の２つの長穴にそれぞれ嵌合し、該光量調節部材の前記第１の軸線に沿った移動を案内する２つの案内ピンが設けられた支持部材と、
前記２つの光量調節部材のそれぞれに設けられた連結部に両端が連結され、前記２つの光量調節部材を前記第１の軸線に沿って移動させる駆動レバーと、
該駆動レバーにおける前記両端の間に回転軸が固定された絞り羽根駆動手段とを有する光量調節装置であって、
前記絞り羽根駆動手段、前記駆動レバー、前記連結部、前記長穴および前記案内ピンのすべてが、前記第１の軸線に対して片側に配置されているとともに、前記絞り羽根駆動手段、前記駆動レバーおよび前記連結部のすべてが、前記第１の軸線に直交して前記光軸を通る第２の軸線に対して片側に配置され、
前記長穴および前記案内ピンのすべてが、前記第２の軸線の方向において前記両連結部と前記第１の軸線との間に配置されており、
前記各光量調節部材の前記２つの長穴および前記２つの案内ピンがそれぞれ、前記第１の軸線の方向に互いに離れて配置されているとともに、前記第２の軸線の方向に互いにずれて配置されていることを特徴とする光量調節装置。
【請求項２】
前記絞り羽根駆動手段がレンズ鏡筒の内周隅部に配置されていることを特徴とする請求項１に記載の光量調節装置。
【発明の詳細な説明】
【０００１】
【発明の属する技術分野】
本発明は、例えばビデオカムコーダー等の撮影機器類に搭載される主としてレンズ鏡筒に組み込まれる例えば絞り装置等の光量調節装置に関するものである。
【０００２】
【従来の技術】
従来、レバーの揺動により２枚の絞り羽根を互いに逆方向に移動させて絞り開口径を変化させる所謂ギロチン式の絞り装置は、図７に示す様に構成されていた。すなわち、１００ａおよび１００ｂは絞り羽根、１００ｃは絞り羽根１００ｂに貼り付けられた小絞り時の回折を防止するためのＮＤ、１０１は図示しないローターであるところの円筒形の２極に着磁された磁石とそのまわりに配置された励磁コイルからなり、コイルへの電圧の印加によりローターを揺動可能とした絞り羽根駆動手段であり、１０１ａはロータに固定された回転軸、１０２はローターの回転軸１０１ａに圧入等で固定されるレバーであり、その両端に絞り羽根に嵌合して移動させるための駆動ピン１０２ａおよび１０２ｂが設けられている。１０３は、絞り羽根駆動手段１０１が固定され、かつ、絞り羽根１００ａおよび１００ｂの直線案内のための案内ピン１０３ａ１、１０３ａ２、１０３ｂ1 、１０３ｂ２が設けられている支持部材であり、また、絞り羽根１００ａおよび１００ｂには、案内ピン１０３ａ1 、１０３ａ2、１０３ｂ1 、１０３ｂ2 に嵌合する幅を有し、絞り羽根の移動方向に設けられた長穴１００ａ1 、１００ａ2、１００ｂ1 、１００ｂ2 と、駆動ピン１０２ａおよび１０２ｂに嵌合し、絞り羽根の移動方向とは直角方向の長穴１００ａ3 、１００ｂ3 とが形成されている。１０４は支持部材１０３に取付けられ、絞り装置をユニット化する為の蓋である。
【０００３】
図８（ａ）および（ｂ）はそれぞれ、絞り全開、および全閉の状態を表す。ＮＤ１００ｃは省略してある。このように、絞り羽根駆動手段１０１によりレバー１０２を揺動させ、絞り羽根１００ａおよび１００ｂを絞り中心線に沿って互いに逆方向に移動させることで、絞り開口径を制御する所謂ギロチン式の絞り装置を構成することが出来る。尚、分かり易いように絞り羽根１００ｂには格子のハッチングを施してある。また、一点鎖線ｘ，ｙの十字は絞り中心であり、組み込まれる光学系の光軸と一致するように絞り装置は配置される。
【０００４】
【発明が解決しようとする課題】
しかしながら、上記従来例では、例えば絞り羽根１００ａについて言えば、駆動部分（駆動ピン１０２ａと長穴１００ａ3 ）と直線案内部分（案内ピン１０３ａ1 、１０３ａ2 と長穴１００ａ1 、１００ａ2 ）が絞り羽根の移動方向に沿って略一直線上に配置してあるので（絞り羽根１００ｂについても同様）、レバー１０２の揺動による絞り羽根１００ａと１００ｂの追従性は良好であるが、必然的に絞り羽根駆動手段１０１は絞り羽根の移動方向である絞り中心線上の近傍に配置せざるをえなくなる。
【０００５】
また、この絞り装置をレンズ鏡筒に組み込む際には、絞り羽根駆動手段１０１がレンズ鏡筒のほぼ真ん中辺りに大きく出っ張ってしまい、他の変倍レンズ群や合焦レンズ群を移動させるための駆動手段の配置も含めて全体としてレンズ鏡筒を出っ張りの少ないコンパクトなものにすることが困難になってしまっていた。本発明の目的はレンズ鏡筒に組み込む際に他の構成要素を含めて全体として出っ張りの少ないコンパクトなレンズ鏡筒にする為の例えば撮影機器の絞り装置等の光量調節装置を提供することである。
【０００６】
【課題を解決するための手段】
上記目的を達成するための本発明の光量調節装置は、光軸を通過して該光軸と直交する第１の軸線に沿って互いに逆方向に移動することで開口径を変化させる２つの光量調節部材と、各光量調節部材に形成された案内用の２つの長穴にそれぞれ嵌合し、該光量調節部材の第１の軸線に沿った移動を案内する２つの案内ピンが設けられた支持部材と、２つの光量調節部材のそれぞれに設けられた連結部に両端が連結され、２つの光量調節部材を第１の軸線に沿って移動させる駆動レバーと、該駆動レバーにおける両端の間に回転軸が固定された絞り羽根駆動手段とを有する。絞り羽根駆動手段、駆動レバー、連結部、長穴および案内ピンのすべてが、第１の軸線に対して片側に配置されているとともに、絞り羽根駆動手段、駆動レバーおよび連結部のすべてが、第１の軸線に直交して光軸を通る第２の軸線に対して片側に配置されている。長穴および案内ピンのすべてが、第２の軸線の方向において両連結部と第１の軸線との間に配置されている。そして、各光量調節部材の２つの長穴および２つの案内ピンがそれぞれ、第１の軸線の方向に互いに離れて配置されているとともに、第２の軸線の方向に互いにずれて配置されていることを特徴とする。
【００１２】
なお、上記光量調節装置を有し、絞り羽根駆動手段をレンズ鏡筒の内周隅部に配置した撮影機器も本発明に含まれる。
【００１４】
【発明の実施の形態】
（第１の実施の形態）
図１〜図６は本発明の第１の実施の形態を示す。
【００１５】
図１は本実施の形態を凸凹凸凸レンズ系の４群構成で、第２群の凹レンズ群で変倍動作、第４群の凸レンズ群で合焦動作を行ない、光学系の前に９０度光線角度を変えるプリズムを配したレンズ鏡筒に適用した場合の各部分の分解斜視図である。１は第一のレンズ群を保持する固定の第一レンズ群保持部材、２は第二のレンズ群を保持し光軸方向に移動することにより変倍動作を行なう第二レンズ群保持部材、３は第三のレンズ群を保持する固定の第三レンズ群保持部材、４は第四レンズ群を保持し光軸方向に移動することにより合焦動作を行なう第四レンズ群保持部材、５はＣＣＤ等の撮像素子を取付ける後部鏡筒である。
【００１６】
第一レンズ群保持部材１と後部鏡筒５により２本のガイドバー６、７は位置決め固定され、第三レンズ群保持部材３と後部鏡筒５によりガイドバー８が位置決め固定されている。第二レンズ群保持部材２はガイドバー６、７により、また、第四レンズ群保持部材４はガイドバー７、８により光軸方向に移動可能に支持されている。
【００１７】
第三レンズ群保持部材３は第一レンズ群保持部材１と後部鏡筒５に位置決めの上挟み込まれ、ビス３本により後方よりビス締め固定されている。９は光学系の開口径を変化させる光量調節装置としての絞り装置。１４は第四レンズ群を光軸方向に移動し合焦動作を行なわせる為の駆動手段であるところのフォーカスモータであり、回転するロータと同軸のリードスクリュウ１４ａが第四レンズ群保持部材４に取付けられたラック４ａと噛み合っており、ロータの回転により第四レンズ群を移動させる。
【００１８】
また、ねじりコイルバネ４ｂで第四レンズ群保持部材４、ガイドバー７、８、ラック４ａ、リードスクリュウ１４ａのそれぞれのガタを片寄せしている。１５は第二レンズ群を光軸方向に移動し変倍動作を行なわせる為の駆動手段であるところのズームモータであり、回転するロータと同軸のリードスクリュウ１５ａが第二レンズ群保持部材２に取付けられたラック２ａと噛み合っており、ロータの回転により第二レンズ群を移動させる。
【００１９】
また、ねじりコイルバネ２ｂで第二レンズ群保持部材２、ガイドバー６、７、ラック２ａ、リードスクリュウ１５ａのそれぞれのガタを片寄せしている。
【００２０】
フォーカスモータ１４は後部鏡筒５に、ズームモータ１５は第一レンズ群保持部材１にそれぞれ２本のビスで固定されている。
【００２１】
１６は、例えばフォトインタラプタにより、第四レンズ群保持部材４に形成された遮光部４ｃの光軸方向への移動による遮光、透光の切り替わりを電気的に検出し、第四レンズ群の基準位置を検出するためのフォーカスリセットスイッチである。
【００２２】
１７は、例えばフォトインタラプタにより、第二レンズ群保持部材２に形成された遮光部２ｃの光軸方向への移動による遮光、透光の切り替わりを電気的に検出し、第二レンズ群の基準位置を検出するためのズームリセットスイッチである。
【００２３】
１８は、凸凹凸凸レンズ系の４群の変倍光学系の前に配置し光学系に入射する光束を反射面１８ａで９０度曲げるための直角プリズム、１９は直角プリズム１８を保持し、第１群保持部材１にビス２本で固定するためのプリズム保持枠である。
【００２４】
２０は、光学系と直角プリズム１８の間に配置され、不要光を遮光する為の中間マスクである。
【００２５】
次に、図２において絞り装置９について更に説明する。
【００２６】
９ａおよび９ｂは光量調節部材としての絞り羽根、９ｃは絞り羽根９ｂに貼り付けられた小絞り時の回折を防止するためのＮＤ、１０は図示しないローターであるところの円筒形の２極に着磁された磁石とそのまわりに配置された励磁コイルからなり、コイルへの電圧の印加によりローターを回動可能とした絞り羽根駆動手段であり、１０ａはロータに固定された回転軸、１１はローターの回転軸１０ａに圧入等で固定される駆動レバーであり、その両端に絞り羽根に嵌合して移動させるための駆動ピン１１ａおよび１１ｂが設けられている。
【００２７】
このとき、駆動レバー１１は、図３（ａ）および（ｂ）に示すように、絞り羽根９ａ，９ｂのスライド方向（移動方向）の光軸を通る中心線である第１の軸線ｘと、該第１の軸線ｘに直交し光軸を通る第２の軸線ｙとの間で、例えば角度約４５°程度の位置に配置されている。言い換えれば、絞り羽根駆動手段１０、駆動レバー１１、連結部である長穴９ａ３、９ｂ３のすべてが、第１の軸線ｘに対して片側（図の左側）であって第２の軸線ｙに対して片側（図の上側）に配置されている。
【００２８】
１２は絞り羽根駆動手段１０が固定され、かつ、絞り羽根９ａおよび９ｂの直線案内のための案内ピン１２ａ、１２ｂが設けられている支持部材、また、絞り羽根９ａおよび９ｂには、案内ピン１２ａ、１２ｂに嵌合する幅を有し、絞り羽根９ａおよび９ｂの移動方向に設けられた長穴９ａ１、９ａ２、９ｂ１、９ｂ２と、駆動ピン１１ａおよび１１ｂに嵌合し、駆動レバーとの連結部であるところの絞り羽根９ａおよび９ｂの移動方向とは直角方向の長穴９ａ３、９ｂ３が形成されている。
【００２９】
このとき、長穴９ａ１、９ａ２、９ｂ１、９ｂ２および案内ピン１２ａ、１２ｂのすべては、絞り羽根９ａおよび９ｂの移動方向の絞り中心線の第１の軸線ｘに対して片側（図の左側）であって、該第１の軸線ｘと、絞り羽根９ａおよび９ｂの移動方向とは直角方向の長穴９ａ３、９ｂ３との略中間に位置付けしてある。
【００３０】
１３は支持部材１２に取付けられ、絞り装置をユニット化する為の蓋である。図３（ａ）および（ｂ）はそれぞれ、絞り全開、および全閉の状態を表す。尚、ＮＤ９ｃは省略してある。このように、レバー１１を揺動させ、絞り羽根９ａおよび９ｂを絞り中心線（第１の軸線ｘ）に沿って互いに逆方向に移動させることで、絞り開口径を制御する所謂ギロチン式の絞り装置を構成することが出来る。尚、分かり易いように絞り羽根９ｂには格子のハッチングを施してある。また、第１の軸線ｘと第２の軸線ｙが直交する十字は絞り中心であり、組み込まれる光学系の光軸と一致するように絞り装置は配置される。
【００３１】
次に、図４で直線案内の為の案内ピン１２ａ、１２ｂと絞り羽根９ａおよび９ｂに形成された長穴９ａ１、９ａ２、９ｂ１、９ｂ２とのガタが絞り羽根の動きに及ぼす影響について絞り羽根９ａに基づき説明する。
【００３２】
図４の絞り羽根９ａは絞り開放状態の位置にあり、案内ピン１２ａと１２ｂの絞り羽根移動方向の距離をＬ、直角方向の距離（第２の軸線ｙの方向でのずれ）をｌとする。また、案内ピン１２ａ、１２ｂと長穴９ａ１、９ａ２とのガタ量をΔｄとしたとき、直線案内部分のガタ内での絞り羽根の傾き量Δθは２次の微小量を無視すれば、
Δθ＝｛±１／√（Ｌ２  ＋ｌ２  ）｝・｛√（Ｌ２  ＋ｌ２  ）／Ｌ｝・Δｄ＝±Δｄ／Ｌで表される。
【００３３】
なお、｛±１／√（Ｌ2 ＋ｌ2 ）｝を１項、｛√（Ｌ2 ＋ｌ2 ）／Ｌ｝・Δｄを２項とする。
【００３４】
第２式の２項は２つの案内ピンを結ぶ方向と直角方向のガタΔｄの成分であり、１項は角度（ラジアン）に変換するために２つの案内ピンの距離で２項を割っている。この式よりガタ量Δｄが小さい程、又は案内ピンの絞り羽根移動方向の距離Ｌが大きい程、直線案内部分のガタ内での絞り羽根の傾き量Δθは小さくなることが分かる。
【００３５】
また、図４に示すように、案内ピン１２ａと駆動ピン１１ａとの絞り羽根移動方向と直角方向の距離をａ１、案内ピン１２ａと絞り中心線ｘとの絞り羽根移動方向と直角方向の距離をｂ１、案内ピン１２ｂと駆動ピン１１ａとの絞り羽根移動方向と直角方向の距離をａ２、案内ピン１２ｂと絞り中心線ｘとの絞り羽根移動方向と直角方向の距離をｂ２とすると、駆動ピン１１ａが（ａ１×Δθ）もしくは（ａ２×Δθ）だけ絞り羽根の移動方向に移動しても絞り羽根は平行移動せずにΔθだけ傾いて、絞り中心は（ｂ１×Δθ）もしくは（ｂ２×Δθ）の不要な移動をしてしまう。
【００３６】
ガタ量Δｄは低温時の隙間の減少を考慮して、ある程度以下に狭くすることはできないので、Ｌを大きくすることが絞り羽根の不要な動きを実用上問題のないレベルに抑えるために必要となる。
【００３７】
本実施の形態ではレバー揺動部分を絞り羽根の移動方向の第１の軸線である絞り中心線ｘ上よりも片側に配置させ、その間の空間に絞り羽根の案内部を形成する案内ピンを絞り羽根の移動方向に可能な量だけ離して配置することによりＬを大きくし、限られたスペース内で絞り装置を構成している。
【００３８】
図５はフォーカスモータ１４、ズームモータ１５、絞り羽根駆動手段１０を第一レンズ群の方向から見た図である。３つの駆動手段は一点鎖線で示す光軸中心に対して二点鎖線で示す長方形の隅部に配置され全体として出っ張りの少ないコンパクトなレンズ鏡筒となっている。
【００３９】
図６は本レンズ鏡筒をビデオカムコーダに組み込んだ場合の記録ユニットとの配置の例である。２１は記録ユニット、そのほかカムコーダを構成する要素としては表示装置、バッテリー、電気基板等があるが、いずれも直方体の形状をしているものが多く、出っ張りの少ないレンズ鏡筒と組み合わせることにより全体のデッドスペースを最小に出来る。
【００４０】
以上が本発明の第１の実施の形態の説明であるが、本発明は上記の構成に限られるものではなく、請求項で示された構成であればどのようなものであっても良いことは言うまでもない。
【００４１】
【発明の効果】
本発明によれば、光量調節部材を駆動レバーを介して駆動する絞り羽根駆動手段を撮影機器のレンズ鏡筒の隅部に配置することが可能となる。また、光量調節部材の案内部（長穴および案内ピン）を光量調節部材の移動方向に長くすることができるので、光量調節部材の追従性を良好に保てる。さらに、レンズ鏡筒に組み込む際に他の構成要素を含めて全体として出っ張りの少ないコンパクトなレンズ鏡筒にする為のコンパクトな光量調節装置を提供することができる。
【図面の簡単な説明】
【図１】本発明の第１の実施の形態を示すレンズ鏡筒の分解斜視図
【図２】本発明の第１の実施の形態を示す絞り装置の分解斜視図
【図３】本発明の第１の実施の形態を示す絞り羽根の全開と全閉を表す図
【図４】絞り羽根の不要な動きを説明するための図
【図５】本発明の第１の実施の形態を示す３つの駆動手段の配置図
【図６】本発明の第１の実施の形態を示すレンズ鏡筒と記録ユニットとの配置図
【図７】従来例の絞り装置の分解斜視図
【図８】従来例の絞り羽根の全開と全閉を表す図
【符号の説明】
１…第一レンズ群保持部材
２…第二レンズ群保持部材
３…第三レンズ群保持部材
４…第四レンズ群保持部材
５…後部鏡筒
６，７，８…ガイドバー
９…絞り装置
１０…絞り羽根駆動手段
１１…レバー
１２…支持部材
１４…フォーカスモータ
１５…ズームモータ
１６…フォーカスリセットスイッチ
１７…ズームリセットスイッチ
１８…直角プリズム
１９…プリズム保持枠
２０…中間マスク
２１…記録ユニット
【図１】
0004208314.tif 000002
【図２】
0004208314.tif 000003
【図３】
0004208314.tif 000004
【図４】
0004208314.tif 000005
【図５】
0004208314.tif 000006
【図６】
0004208314.tif 000007
【図７】
0004208314.tif 000008
【図８】
0004208314.tif 000009